(57)【要約】【課題】ハンガースタンドとの併用時に引出し容器を引出しても外ケースが傾くことなく、引出し入れ操作がスムーズに行われる収納ケースを提供すること。【解決手段】前面開放部を有する箱型の外ケース１内に、前記前面開放部を介して引出し容器２が引出し入れ自在に装着され、前記外ケース１に脚部３が垂設されている収納ケースＡにおいて、前記脚部３に、前記外ケース１をハンガースタンド４の底部５に載置した際にこの底部５の下方に配置されて外ケース１後部の上動を阻止する係止部６が設けられている収納ケース。【選択図】図１
2019130036.tif 000002
【特許請求の範囲】
【請求項１】
前面開放部を有する箱型の外ケース内に、前記前面開放部を介して引出し容器が引出し入れ自在に装着され、前記外ケースに脚部が垂設されている収納ケースにおいて、前記脚部に、前記外ケースをハンガースタンドの底部に載置した際にこの底部の下方に配置されて外ケース後部の上動を阻止する係止部が設けられていることを特徴とする収納ケース。
【請求項２】
前記ハンガースタンドは、上部に支柱が立設する左右一対のスタンド脚と、この左右一対のスタンド脚間に架設される連結桟とから成る前記底部を備えており、このハンガースタンドの底部の前記連結桟上に前記外ケースを載置した際に、この連結桟の下方に前記係止部が配置されて、この連結桟に係止部が下方から係脱自在に係止することで外ケース後部の上動が阻止されるように構成されていることを特徴とする請求項１記載の収納ケース。
【請求項３】
前記脚部は、前記外ケースの前部と後部に垂設されていて、この外ケースを前記ハンガースタンドの底部上に載置した際にこの前後の脚部がハンガースタンドの底部を跨ぐようにして配設可能に構成されていると共に、この外ケースの後部に垂設されている脚部に、前記係止部が設けられていることを特徴とする請求項１，２のいずれか１項に記載の収納ケース。
【請求項４】
前記係止部は、前記外ケースの後部に垂設されている前記脚部に水平に突設されていて、外ケースを前記ハンガースタンドの底部に載置した際に、この水平突設する係止部をハンガースタンドの底部の下方に配置し得るように構成されていると共に、ハンガースタンドの底部に載置されている外ケースをこの底部に対しスライド移動させると、係止部がハンガースタンドの底部の下方位置から離れて外ケースをハンガースタンドの底部に対し上動可能となるように構成されていることを特徴とする請求項１〜３のいずれか１項に記載の収納ケース。
【請求項５】
前記係止部は、前記脚部に着脱自在に設けられていることを特徴とする請求項１〜４のいずれか１項に記載の収納ケース。
【請求項６】
前記脚部に差込み孔が設けられ、この差込み孔に前記係止部を差込むことで脚部に係止部が取付けられていることを特徴とする請求項１〜５のいずれか１項に記載の収納ケース。
【請求項７】
前記脚部に、キャスターを取付可能なキャスター取付部が設けられていることを特徴とする請求項１〜６のいずれか１項に記載の収納ケース。
【請求項８】
前記脚部は、前記外ケースに対し着脱自在に設けられていることを特徴とする請求項１〜７のいずれか１項に記載の収納ケース。
【発明の詳細な説明】
【技術分野】
【０００１】
本発明は、例えば、衣類等を整理収納するのに便利な引出し式収納ケースに関するものである。
【背景技術】
【０００２】
この種の引出し式収納ケースとして、前面開放部を有する箱型の合成樹脂製外ケース内に、前記前面開放部より合成樹脂製の引出し容器を引出し入れ自在に装着して成るものが実施されている（例えば、特許文献１参照）。
【０００３】
また、この種の引出し式収納ケースには、より家具らしい体裁の演出をねらって底部四隅に脚部を有する造形のものも実施されている。
【先行技術文献】
【特許文献】
【０００４】
【特許文献１】特開２００６−１６０３４号公報
【特許文献２】意匠登録第１１６３４７２号公報
【発明の概要】
【発明が解決しようとする課題】
【０００５】
一方、従来から、例えば特許文献２に示すような形態の衣服掛け（ハンガースタンド）が実施されている。
【０００６】
このようなハンガースタンドは、掛けた衣服の下方のスタンド底部上に空間が生じるので、この空間を有効利用すべくスタンド底部上に、上記したような合成樹脂製の引出し式収納ケースが載置されて使用されることがある。
【０００７】
ところが、上記のように引出し式収納ケースをハンガースタンドと併用した場合、収納物が収納された引出し容器を前方へ引出すと、引出した引出し容器が重いために外ケースの後部が上動するように収納ケースが傾いてしまって、引出し入れ作業をスムーズに行えなくなってしまうことがあった。
【０００８】
本発明は、このような従来の収納ケースのハンガースタンド併用時の問題点に注目し、これを解決するためのもので、脚付の収納ケースの脚部に簡単な改良を施すことで、引出し容器を引出してもハンガースタンドの底部に対して外ケースが傾くことなく、引出し入れ操作をスムーズに行うことができる収納ケースを提供するものである。
【課題を解決するための手段】
【０００９】
添付図面を参照して本発明の要旨を説明する。
【００１０】
前面開放部を有する箱型の外ケース１内に、前記前面開放部を介して引出し容器２が引出し入れ自在に装着され、前記外ケース１に脚部３が垂設されている収納ケースＡにおいて、前記脚部３に、前記外ケース１をハンガースタンド４の底部５に載置した際にこの底部５の下方に配置されて外ケース１後部の上動を阻止する係止部６が設けられていることを特徴とする収納ケースに係るものである。
【００１１】
また、前記ハンガースタンド４は、上部に支柱７が立設する左右一対のスタンド脚８と、この左右一対のスタンド脚８間に架設される連結桟９とから成る前記底部５を備えており、このハンガースタンド４の底部５の前記連結桟９上に前記外ケース１を載置した際に、この連結桟９の下方に前記係止部６が配置されて、この連結桟９に係止部６が下方から係脱自在に係止することで外ケース１後部の上動が阻止されるように構成されていることを特徴とする請求項１記載の収納ケースに係るものである。
【００１２】
また、前記脚部３は、前記外ケース１の前部と後部に垂設されていて、この外ケース１を前記ハンガースタンド４の底部５上に載置した際にこの前後の脚部３がハンガースタンド４の底部５を跨ぐようにして配設可能に構成されていると共に、この外ケース１の後部に垂設されている脚部３に、前記係止部６が設けられていることを特徴とする請求項１，２のいずれか１項に記載の収納ケースに係るものである。
【００１３】
また、前記係止部６は、前記外ケース１の後部に垂設されている前記脚部３に水平に突設されていて、外ケース１を前記ハンガースタンド４の底部５に載置した際に、この水平突設する係止部６をハンガースタンド４の底部５の下方に配置し得るように構成されていると共に、ハンガースタンド４の底部５に載置されている外ケース１をこの底部５に対しスライド移動させると、係止部６がハンガースタンド４の底部５の下方位置から離れて外ケース１をハンガースタンド４の底部５に対し上動可能となるように構成されていることを特徴とする請求項１〜３のいずれか１項に記載の収納ケースに係るものである。
【００１４】
また、前記係止部６は、前記脚部３に着脱自在に設けられていることを特徴とする請求項１〜４のいずれか１項に記載の収納ケースに係るものである。
【００１５】
また、前記脚部３に差込み孔10が設けられ、この差込み孔10に前記係止部６を差込むことで脚部３に係止部６が取付けられていることを特徴とする請求項１〜５のいずれか１項に記載の収納ケースに係るものである。
【００１６】
また、前記脚部３に、キャスター11を取付可能なキャスター取付部12が設けられていることを特徴とする請求項１〜６のいずれか１項に記載の収納ケースに係るものである。
【００１７】
また、前記脚部３は、前記外ケース１に対し着脱自在に設けられていることを特徴とする請求項１〜７のいずれか１項に記載の収納ケースに係るものである。
【発明の効果】
【００１８】
本発明は上述のように構成したから、ハンガースタンドの底部に載置してハンガースタンドと併用した場合に、係止部がハンガースタンドの底部の下方に配置されることで引出し容器引出し時に外ケース後部の上動を阻止でき（外ケースの傾きを防止でき）、従ってこの引出し容器の引出し入れ操作をスムーズに行うことができ、しかも本発明は、既存の脚付収納ケースの脚部に、係止部を設けるだけの簡単な構造変更を施すことで設計実現可能であるなど、極めて実用性に優れた収納ケースとなる。
【００１９】
また、請求項２記載の発明においては、上部に支柱が立設する左右一対のスタンド脚と、この左右一対のスタンド脚間に架設される連結桟とから成る底部を備えているハンガースタンドと併用した際に、前記作用・効果を確実に発揮できる極めて実用性に優れた収納ケースとなる。
【００２０】
また、請求項３記載の発明においては、ハンガースタンドの底部に載置した際に、この底部を跨いだ前後の脚部によって底部からの落下が防止されると共に、外ケース後部の脚部に設けられている係止部によって外ケース後部の上動が確実に阻止されることになる一層実用性に優れた構成の収納ケースとなる。
【００２１】
また、請求項４記載の発明においては、前記作用・効果を確実に発揮する係止部を簡易構成にして容易に設計実現可能となり、しかも、係止部のハンガースタンド底部への係止可能状態を簡単に解除して外ケースをハンガースタンドの底部から移動可能となるなど、一層実用性に優れた構成の収納ケースとなる。
【００２２】
また、請求項５記載の発明においては、ハンガースタンドと併用しない場合に、係止部を取り外しておくことができる一層実用性に優れた構成の収納ケースとなる。
【００２３】
また、請求項６記載の発明においては、脚部に対して着脱自在な係止部を簡易構成にして容易に設計実現可能となる一層実用性に優れた構成の収納ケースとなる。
【００２４】
また、請求項７記載の発明においては、脚部にキャスターを取付けて移動自在な収納としての使用も可能となる一層実用性に優れた構成の収納ケースとなる。
【００２５】
また、請求項８記載の発明においては、使用環境に応じて、脚部を取外して高さを低くすることもできる一層実用性に優れた構成の収納ケースとなる。
【図面の簡単な説明】
【００２６】
【図１】本実施例をハンガースタンドと併用した使用状態を示す概略説明斜視図である。
【図２】本実施例を示す、脚部を分解した状態の概略説明斜視図である。
【図３】本実施例の脚部を示す、キャスターが取付けられ係止部が分解された状態の斜視図である。
【図４】本実施例の脚部を示す、キャスターと係止部とが取付けられた状態の側断面図である。
【図５】本実施例の脚部を示す、係止部が取付けられた状態の平面図である。
【図６】本実施例の外ケースに対する脚部の取付構造を示す部分拡大説明正断面図である。
【発明を実施するための形態】
【００２７】
好適と考える本発明の実施形態を、図面に基づいて本発明の作用を示して簡単に説明する。
【００２８】
本発明の収納ケースＡを、ハンガースタンド４の底部５に載置して使用した場合に、外ケース１の脚部３に設けられている係止部６が前記底部５の下方に配置される。そのため、外ケース１から引出し容器２を引出した際にこの引出し容器２が重くて外ケース１が前下がりに傾こうとしても、前記係止部６によって外ケース１後部の上動が阻止される。
【００２９】
尚、この係止部６は、前記底部５の下方に配置された際に底部５に係止する構成でも良いし、底部５の下方に配置されただけでは底部に係止せず、外ケース１後部が少し持ち上がった際に底部５に係止する構成でも良い。
【００３０】
従って、引出し容器２の引出し時に外ケース１の傾きが防止されるので、この引出し入れ操作がスムーズに行われることとなる。
【００３１】
また、本発明は、既存の脚付収納ケースＡの脚部３に、係止部６を設けるだけの簡単な構造変更を施すことで設計実現可能である。
【実施例】
【００３２】
本発明の具体的な実施例について図面に基づいて説明する。
【００３３】
本実施例の収納ケースＡは、前面開放部（図示省略）を有する箱型の外ケース１内に、前記前面開放部を介して引出し容器２が引出し入れ自在に装着されている。
【００３４】
具体的には、外ケース１は、合成樹脂製であって、左右一対の方形状側板13と、この左右の側板13の上端部間に架設させる方形状天板14と、左右の側板13の下端間に架設される方形枠状底フレーム15と、左右の側板13の後端部間に架設される方形状後板（図示省略）とから成る前面開放形の箱形ケースに構成されている（図１，図２参照）。
【００３５】
引出し容器２は、合成樹脂製であって、詳しい図示は省略しているが前板16の上下部に取手17を具備する上部開口形の箱形容器に構成されていて、前記外ケース１内に前方へ引出し入れ自在に収納装着されている。
【００３６】
尚、図面は、引出し容器２が一段の収納ケースＡを図示しているが、引出し容器２が上下多段に設けられている収納ケースＡにも、本発明は適用可能である。
【００３７】
また、本実施例の収納ケースＡは、前記外ケース１の底部四隅に脚部３が垂設されていて、この底部四隅の脚部３を介して床面等に設置されるように構成されている。
【００３８】
具体的には、脚部３は合成樹脂製であって、外ケース１の前記底フレーム15に対し着脱自在に設けられている。即ち、この脚部３が不要な場合には、この脚部３を外ケース１から取り外して使用することも可能に構成されている。
【００３９】
また、この脚部３は、やや縦長形状であって、前後方向に長さを有する平面視長方形の角筒状ブロックに構成（一体成形）されており、上部角筒部が、前記底フレーム15の底部四隅に設けられている（一体形成されている）取付孔18に着脱自在に差込み取付可能な差込み部19として構成され、下部には、床面等に載置するための載置面部20が垂下突設され（一体成形され）ている（図３，図４参照）。
【００４０】
また、この脚部３の外フレーム１（底フレーム15の取付孔18）に対する着脱自在な取付構造について説明すると、図３に示すように、前記差込み部18の平面視長手方向の側面部に縦長の帯板状可動部21が縦長の切り込み22（スリット）を介して切り出され、この可動部21を手の指で脚部３の内方へ押し込むと、可動部21が脚部３内側へ弾性変形可能に構成されている（図６参照）。
【００４１】
また、図３に示すように、この可動部21の上部には、係合孔23が設けられ、一方、図６に示すように、前記差込み部19を前記取付孔18に差込んだ際にこの係合孔23に係合係止する係合突起24が、取付孔18の内面に設けられている。
【００４２】
また、この係合突起24は、下側が傾斜面に形成されていて、脚部３（の差込み部19）を取付孔18に差込むと、差込み量が多く（深く）なるにしたがい係合突起24の下方の傾斜面に沿って可動部21が内方へと弾性変形し、係合孔23位置が係止突起24に至った際に可動部23の復帰弾性により係合孔23に係止突起24がパチンと係合係止して、脚部３が取付孔18（外ケース１の底フレーム15）に対し抜止状態で取付けられるように構成されている。図中符号29は差込み部19を取付孔18に差込んだ際に取付孔18の孔縁部に接して脚部３を位置決めする位置決めリブである。
【００４３】
また、外ケース１（底フレーム18）に取付けられている脚部３の可動部21を内側へ押し込むと、係合孔23が係止突起24から係脱して脚部３を取付孔18から抜脱可能（脚部３を外ケース１から取り外し可能となるように構成されている。
【００４４】
また、図３に示すように、可動部21の外面部には、この可動部21を弾性変形させる際の押し操作の位置目安となり、且つ押し操作時に指が滑らないようにするための指当て凹部25が設けられている。
【００４５】
尚、可動部21に係合突起24が設けられ、取付孔18に係合孔23が設けられている構成が採用されていても良い。
【００４６】
本実施例は、前記脚部３に、前記外ケース１をハンガースタンド４の底部５に載置した際にこの底部５の下方に配置されて、この底部５に下方から係脱自在に係止することで外ケース１後部の上動を阻止する係止部６が設けられている。即ち、本実施例の収納ケースＡをハンガースタンド４の底部５に載置して使用する場合に、外ケース１の脚部３に設けられている係止部６を底部５の下方に配置すると、外ケース１から引出し容器２を引出した際に、たとえこの引出し容器２が重くて外ケース１が前下がりに傾こうとしても、前記係止部６によって外ケース１後部の上動が阻止されて、この引出し容器２の引出し入れ操作がスムーズに行われるように構成されている。
【００４７】
ここで、本実施例のハンガースタンド４について説明すると、図１に示すように、上部に支柱７が立設し下部に移動用のキャスター30を有する左右一対のスタンド脚８と、この左右一対のスタンド脚８の前後間に架設される二本の連結桟９とから成る前記底部５を備え、前記左右の支柱の上端部間に、ハンガーを掛止可能な掛止バー（図示省略）が架設されて成るものが採用されている。図中符号30はハンガースタント４の移動用キャスターである。
【００４８】
また、本実施例の収納ケースＡは、この外ケース１の底フレーム15を前記ハンガースタンド４の底部５の前後二本の連結桟９上に載置した際に、前部左右の脚部３と後部左右の脚部３とが前後二本の連結桟９を跨ぐようにして配設されるように収納ケースＡ（外ケース１）の前後幅寸法並びに脚部３の外ケース１（の底フレーム15）への取付可能位置が設定構成されている。
【００４９】
即ち、本実施例の収納ケースＡをハンガースタンド４の底部５の連結桟９に載置した際に、この連結桟９に対し収納ケースＡが前後に動いても、この連結桟９を跨いだ前後の脚部３が連結桟９に接触することによってそれ以上の移動が阻止されて、この連結桟９（底部５）上からの落下が防止されるように構成されている。
【００５０】
本実施例の係止部６は、この外ケース１（の底フレーム15）の後部左右に垂設されている脚部３に設けられている。
【００５１】
具体的には、本実施例の係止部６は、合成樹脂製の帯板状体で構成され、前記外ケース１の後部左右に垂設されている前記脚部３に前方に向けて水平に突設されていて、外ケース１を前記ハンガースタンド４の底部５（連結桟９）に載置した際に、この水平突設する係止部６をハンガースタンド４の底部５の下方に配置し得るように構成されていると共に、ハンガースタンド４の底部５に載置されている外ケース１をこの底部５に対し後方へ水平スライド移動させると、係止部６がハンガースタンド４の底部５の下方位置から後方へ離れて外ケース１（収納ケースＡ）をハンガースタンド４の底部５に対し上動可能（持ち運び可能）となるように構成されている。
【００５２】
また、この係止部６は、前記脚部３に着脱自在に設けられている。
【００５３】
更に詳しくは、図３，図４に示すように、前記脚部３の前面部と後面部とに水平横長スリット状の差込み孔10が設けられ（一体成形され）、この差込み孔10に前記係止部６を差込むことで脚部３に係止部６が取付けられている。図面は、係止部６が脚部３前面部の差込み孔10に取付けられて脚部３の前方に突設されている場合を示しているが、係止部６を脚部３後面部の差込み孔10に取付けて脚部３の後方に突設させた状態で使用することも可能に構成されている。また、図面は、収納ケースＡの後部の脚部３に係止部６を設けた場合を示しているが、収納ケースＡの前部の脚部３に係止部６を設けても良い。
【００５４】
また、この係止部６の脚部３（の差込み孔10）への着脱構造は、脚部３の内部に、前記載置面部20から円筒状に立設する取付筒12が設けられ（一体成形され）、一方、係止部６は、その差込み先端部が二股形状に形成されていると共に、この二股先端部の対向内側縁が、先端側はストレート縁が前記取付筒12の外径幅寸法よりやや狭い対向幅をもって対設する圧接縁部26に形成され、この圧接縁部26より基端側が前記取付筒12の外形と略合致する円弧縁が対設する嵌着縁部27に形成されていて、この二股先端部を前記差込み孔10から脚部３内に差込み、前記圧接縁部26が取付筒12の外周面に圧接することによる差込み抵抗に抗して更に奥まで係止部６を差込むと、二股先端部が弾性変形して圧接縁部26間が拡大し、やがて取付筒12が嵌着縁部27にパチンと嵌着されて、係止部６が脚部３に抜止状態で取付けられ（図５参照）、この取付状態から係止部６を強い力で取り外し方向に引っ張ると、圧接縁部26間が拡大するように二股先端部が弾性変形して脚部３から係止部６が取外されるように構成されている。
【００５５】
従って、ハンガースタンド４と併用しない場合には、係止部６を邪魔にならないように取外しておくことが可能に構成されている。
【００５６】
本実施例は、前記脚部３に、キャスター11を取付可能なキャスター取付部12が設けられている。
【００５７】
具体的には、前記取付筒12の内孔が前記載置面部20を貫通するように形成されていて、この取付筒12が前記キャスター取付部12として構成されており、このキャスター取付部12に脚部３の（載置面部20の）下方からキャスター11の取付軸部28を差込み装着することで、脚部３にキャスター11を取付可能に構成されている。
【００５８】
また、本実施例では、脚部３にキャスター11を取付けた状態で収納ケースＡをハンガースタンド４の連結桟９上に載置すると、このキャスター11も床面等に接地するように脚部３の高さ寸法や採用するキャスター11の大きさ等が設定構成されており、このハンガースタンド４移動の際に連結桟９上に載置した収納ケースＡもキャスター11を介して一緒に簡単に移動可能に構成されている。
【００５９】
尚、本発明は、本施例に限られるものではなく、各構成要件の具体的構成は適宜設計し得るものである。
【符号の説明】
【００６０】
１  外ケース
２  引出し容器
３  脚部
４  ハンガースタンド
５  底部
６  係止部
７  支柱
８  スタンド脚
９  連結桟
10  差込み孔
11  キャスター
12  キャスター取付部
Ａ  収納ケース
【図１】
2019130036.tif 000003
【図２】
2019130036.tif 000004
【図３】
2019130036.tif 000005
【図４】
2019130036.tif 000006
【図５】
2019130036.tif 000007
【図６】
2019130036.tif 000008